(57)【要約】【課題】統合されるレッグウォーマーを有するエクササイズガーメントが本明細書において提供される。【解決手段】一つの実施形態においては、パンツは、エラストマー素材から形成される上部セグメントと、上部セグメントにそれぞれ接合される一対のレッグウォーマーであって、一対のレッグウォーマーはパンツの下部セグメントを形成し、一対のレッグウォーマーの各々は着用者の足の一部分を覆うのに十分に長い長さを含む、一対のレッグウォーマーと、を含む。【選択図】図１Ａ
2018150670.tif 000002
【特許請求の範囲】
【請求項１】
アウターウェア用のパンツであって、
エラストマー素材から形成される上部セグメントであって、当該上部セグメントは、当該パンツの着用者の脚の少なくとも一部分を覆うように構成されている脚部分及び当該パンツの着用者の胴体の少なくとも一部分を覆うように構成されているウエスト部分を含む、上部セグメントと、
各脚上の縫い合わされた接続シームによって前記上部セグメントに取り付けられた下部セグメントであって、当該下部セグメントは、前記上部セグメントの前記エラストマー素材と異なる編み模様を有する第２の素材から形成され、当該下部セグメントは、着用者の脚の周りにぴったりと合うように構成された一対のレッグウォーマーを含み、前記一対のレッグウォーマーの各々は前記上部セグメントの前記脚部分よりも長さが大きく、前記一対のレッグウォーマーの各々は、着用者の足の一部分を覆って当該パンツの着用者のための滑り止め面を提供するように構成されており、前記レッグウォーマーの各々の素材を寄せ集めて前記素材にさざ波を形成するルーシングが形成されるように、エラストマー素材が前記レッグウォーマーの各々の内側縦方向シーム又は内縁に沿って取り付けられており、前記ルーシングが前記一対のレッグウォーマーの各々の前記内側シーム又は内縁に沿ってのみ位置付けられる、下部セグメントと、
を含む、パンツ。
【請求項２】
前記接続シームは、前記上部セグメントのウエストバンドの下部シームから約１２．７センチメートルから約４３．２センチメートル離れて位置付けられる、
請求項１に記載のパンツ。
【請求項３】
前記接続シームの各々は、前記上部セグメントのインシームに対して９０度より小さな角度を成して配置される、
請求項１に記載のパンツ。
【請求項４】
前記角度は、前記一対のレッグウォーマーの各々の外縁から前記一対のレッグウォーマーの各々の内縁に向けて、前記接続シームを傾斜させる、
請求項３に記載のパンツ。
【請求項５】
パンツであって、
第１の生地素材から形成される上部セグメントであって、当該上部セグメントは当該パンツの着用者の脚の少なくとも一部分を覆うように構成されている、上部セグメントと、
前記第１の生地素材と異なる編み模様の第２の生地素材の一対のレッグウォーマーを有する下部セグメントであって、前記一対のレッグウォーマーの各々は、縫い合わされることによって前記上部セグメントに接合され、前記一対のレッグウォーマーは当該パンツの前記上部セグメントの脚部分よりも長さが大きく、前記一対のレッグウォーマーの各々は、着用者の足の一部分を覆って当該パンツの着用者のための滑り止め面を提供するように構成されており、前記一対のレッグウォーマーの各々が、前記一対のレッグウォーマーの各々の内側シーム又は内縁に沿ってのみルーシングを更に含み、該ルーシングは、引き伸ばされた素材を解放することによって形成され、前記一対のレッグウォーマーの各々のインシームに加えられ、前記一対のレッグウォーマーの各々の縦方向の中心側の長さに沿って素材を寄せ集めて前記第２の生地素材にさざ波を形成する、下部セグメントと、
を含む、パンツ。
【請求項６】
前記一対のレッグウォーマーは、こはぜ継ぎ又はストラドル・ステッチを含む接続シームを用いて前記上部セグメントに固定的に取り付けられる、
請求項５に記載のパンツ。
【請求項７】
前記接続シームは着用者の膝よりも上に位置付けられる、
請求項６に記載のパンツ。
【請求項８】
前記接続シームは、前記上部セグメントのウエストバンドの下部シームから約１２．７センチメートルから約４３．２センチメートル離れて位置付けられる、
請求項６に記載のパンツ。
【請求項９】
前記一対のレッグウォーマーと前記上部セグメントとが接続シームで接続し、
前記接続シームは、前記上部セグメントのインシームに対して９０度より小さな角度を成して配置される、
請求項５に記載のパンツ。
【請求項１０】
前記接続シームは弓状である、
請求項９に記載のパンツ。
【請求項１１】
前記角度は、前記一対のレッグウォーマーの各々の外縁から前記一対のレッグウォーマーの各々の内縁に向けて、前記接続シームを傾斜させる、
請求項９に記載のパンツ。
【請求項１２】
アウターウェア用のパンツであって、
縦方向のインシーム及び少なくとも一つの縦方向のアウトシームを有する上部セグメントであって、当該上部セグメントはエラストマーである第１の素材から形成されており、当該上部セグメントは、
当該パンツの着用者の胴体の少なくとも一部分を覆う、ウエスト部分、及び
前記ウエスト部分に取り付けられた脚部分であって、当該脚部分は当該パンツの着用者の脚の少なくとも一部分を覆うように構成されている、脚部分、
を含む、上部セグメントと、
縫い合わされた接続シームを介して前記上部セグメントに取り付けられた一対のレッグウォーマーを有する下部セグメントであって、当該下部セグメントは、単一の縦方向のシームを有し、前記上部セグメントの前記脚部分よりも長さが長く、前記一対のレッグウォーマーの各々は、着用者の足の一部分を覆って当該パンツの着用者のための滑り止め面を提供するように構成されており、当該下部セグメントは前記単一の縦方向のシームに沿ってルーシングを更に有する、下部セグメントと、
を含む、パンツ。
【請求項１３】
前記下部セグメントは、着用者の脚の周りにぴったりと合うように構成された一対のレッグウォーマーを含む、
請求項１２に記載のパンツ。
【請求項１４】
前記下部セグメントは、前記第１の素材と異なる編み模様を有する第２の素材から形成されている、
請求項１２に記載のパンツ。
【請求項１５】
アウターウェア用のパンツであって、
第１の素材から形成される上部セグメントであって、当該上部セグメントは当該パンツの着用者の脚の少なくとも一部分を覆うように構成されている、上部セグメントと、
当該アウターウェア用のパンツの各脚上の縫い合わされた接続シームによって前記上部セグメントに取り付けられた下部セグメントであって、当該下部セグメントは、前記上部セグメントの前記第１の素材と異なる繊維の含有率を有する第２の素材から形成され、当該下部セグメントは、着用者の脚の周りにぴったりと合うように構成された一対のレッグウォーマーを含み、前記一対のレッグウォーマーの各々は前記上部セグメントの脚部分よりも長さが大きく、前記一対のレッグウォーマーの各々は、着用者の足の一部分を覆って当該パンツの着用者のための滑り止め面を提供するように構成されており、当該下部セグメントは、前記レッグウォーマーの各々の素材を寄せ集めてさざ波を形成するルーシングが形成されるように、前記レッグウォーマーの各脚の単一の縦方向シームに取り付けられているエラストマー素材を更に有し、前記ルーシングが前記一対のレッグウォーマーの各々の内側シーム又は内縁に沿ってのみ位置付けられる、下部セグメントと、
を含む、パンツ。
【請求項１６】
前記接続シームは弓状である、
請求項１５に記載のパンツ。
【請求項１７】
前記上部セグメントは、縦方向のインシーム及び少なくとも一つの縦方向のアウトシームを有し、
前記下部セグメントは、単一の縦方向のシームを有する、
請求項１５に記載のパンツ。
【発明の詳細な説明】
【技術分野】
【０００１】
本技術は、全体としてエクササイズガーメントに関し、さらに具体的には、統合されるレッグウォーマーを含むパンツ等のエクササイズガーメントに関するが、これに限定されない。いくつかの実施形態においては、レッグウォーマーは、着用者の足の少なくとも一部分にまで延びるサイズである。
【発明の概要】
【０００２】
いくつかの実施形態によれば、本技術は、(a)エラストマー素材から形成される上部セグメントと、(b)それぞれが上部セグメントに接合される一対のレッグウォーマーであって、一対のレッグウォーマーはパンツの下部セグメントを形成し、一対のレッグウォーマーの各々が着用者の足の一部分を覆うのに十分に長い長さを含む、一対のレッグウォーマーと、を含む、パンツを対象とし得る。
【０００３】
いくつかの実施形態によれば、本技術は、(a)エラストマー素材から形成される上部セグメントと、(b)それぞれが上部セグメントに接合される一対のレッグウォーマーであって、一対のレッグウォーマーはパンツの下部セグメントを形成し、一対のレッグウォーマーの各々が長さを含み、一対のレッグウォーマーの各々が一対のレッグウォーマーの各々の素材を寄せ集めて素材にさざ波を形成するルーシングを含む、一対のレッグウォーマーと、を含む、パンツを対象とし得る。
【０００４】
いくつかの実施形態においては、一対のレッグウォーマーは、大腿部シームを用いて上部セグメントに固定的に取り付けられる。他の実施形態においては、大腿部シームは着用者の膝よりも上に位置付けられる。
【０００５】
いくつかの実施形態によれば、接続シームは、上部セグメントのウエストバンドの下部シームに対して約５インチから約１７インチに位置付けられる。
【０００６】
さらに別の実施形態においては、一対のレッグウォーマーの各々を含む素材は、一対のレッグウォーマーの各々の素材を寄せ集めて素材にさざ波を形成するルーシングを作り出すように伸縮性素材で取り付けられる。一つの実施形態においては、ルーシングが内側シーム又は一対のレッグウォーマーの各々の縁に沿って位置付けられる。
【０００７】
いくつかの実施形態においては、一対のレッグウォーマーと上部セグメントとが接続シームで対になる。
【０００８】
一つの実施形態においては、接続シームは、それぞれ、上部セグメントのインシームに対して角度を成して配置される。別の実施形態においては、この角度は、一対のレッグウォーマーの各々の外縁から一対のレッグウォーマーの各々の内縁に向けて、接続シームを傾斜させる。
【０００９】
いくつかの実施形態においては、接続シームは弓状である。他の実施形態においては、角度が、一対のレッグウォーマーの各々の外縁から一対のレッグウォーマーの各々の内縁に向けて、接続シームを傾斜させる。
【００１０】
さらに別の実施形態においては、一対のレッグウォーマーの各々はその長さに沿って延びる内側シームを含み、この内側シームはこれに沿ってシャーリングを作り出す伸縮性素材を含む。
【図面の簡単な説明】
【００１１】
本技術の特定の実施形態が添付の図によって示される。これらの図は必ずしも一定の縮尺率で描かれていないこと、本技術の理解のために必要のない細部又は他の細部の理解を難しくする細部は省略され得ることが理解されるであろう。本技術は本明細書に示される特定の実施形態に必ずしも限定されないことが理解されるであろう。
【図１Ａ】本技術によって構成される、統合されるレッグウォーマーを有するパンツの正面斜視図である。
【図１Ｂ】図１Ａのパンツの背面斜視図である。
【図２Ａ】シャーリングを示す、統合されるレッグウォーマーを有するパンツの正面図である。
【図２Ｂ】ルーシングを示す、統合されるレッグウォーマーを有するパンツの正面図である。
【図３】足の一部分を覆っている、一対のレッグウォーマーの一方の一部分を示す、統合されるレッグウォーマーを有するパンツの斜視図である。
【図４】統合されるレッグウォーマーを有するパンツの正面斜視図であり、統合されるレッグウォーマー上にルーシングを作り出す伸縮性素材を有する内側パネル（an  inside  panel）と接合シームを示す。
【図５Ａ】傾斜する接続シームを有する、統合されるレッグウォーマーを有するパンツの他の実施形態の正面図である。
【図５Ｂ】傾斜する接続シームを有する、統合されるレッグウォーマーを有するパンツの他の実施形態の背面図である。
【発明を実施するための形態】
【００１２】
本技術は多くの異なる形の実施形態が可能であるが、本開示は本技術の原理の例示として考えられるべきであり、説明する実施形態に本技術を限定することは意図されないという理解の下に、いくつかの特定の実施形態が図面に示され、本明細書に詳細に説明される。
【００１３】
本明細書において用いられる用語は、特定の実施形態を説明する目的だけのためであり、本技術を限定することは意図されない。本明細書において用いられる単数形「１つの（“a”、“an”）」及び「その、前記、等（“the”）」は、文脈上、別段の明確な指示がない限り、複数形をもまた含むことが意図される。さらに、本明細書において用いられるとき、「含む（“comprises”）」及び／又は「含み（“comprising”）の用語は、記載された特徴（features）、完全体（integers）、ステップ（steps）、動作（operations）、要素（elements）及び／又は構成要素（components）の存在を特定するが、１つ以上の他の特徴、整数、ステップ、動作、要素、構成要素及び／又はそれらからなる群の存在又は付加を除外しないことが理解されるであろう。
【００１４】
本明細書において言及される同様の又は類似の要素及び／又は構成要素は、全図を通して同様の参照符号で特定され得ることが理解されるであろう。さらに、図のいくつかは、本技術の略図にすぎないことが理解されるであろう。従って、図の明確さのために、構成要素のいくつかが、実際の縮尺比から歪められたかもしれない。
【００１５】
概して言えば、本技術は、ヨガパンツをレッグウォーマー又はレギンスと統合するエクササイズパンツを企図する。エクササイズパンツの上部セグメントはナイロン／エラステイン素材から作り出される一方、レッグウォーマーは様々な素材の任意の１つ（又はその組み合わせ）を含み得る。
【００１６】
図１Ａ及び図１Ｂは、全体として、本技術によって構成される例示的なパンツ（ガーメント）１００を示す。より詳細には、図１Ａは正面斜視図、図１Ｂは背面斜視図である。
【００１７】
パンツ100は、上部セグメント105及び下部セグメント110を含む。概して、上部セグメント105は、身体、特に着用者の胴体下部に適合するよう構成されるエラストマー素材等の第１の素材を含む。１つの非限定的な実施例においては、上部セグメント105の素材は、87％のナイロンと13％のスパンデックスの組み合わせによるナイロンとスパンデックスの複合素材である。エラストマー素材は、当業者の一人に知られているであろうエクササイズガーメントに用いられるいかなる適切な素材をも含み得る。ある実施形態においては、上部セグメント105の素材は、上部セグメント105の前股上120にほぼ位置付けられる三角形のマチ（a  triangle  gusset）115（図５Ａにおける参照番号550）を含み得る。他の実施形態においては、前股上120は、こはぜ継ぎ（a  flat  lock  seam）又はストラドル・ステッチ（a  straddle  stitch）を含む。
【００１８】
上部セグメント105は、また、上部セグメント105の上端に設けられるウエストバンド125（図５Ａにおける参照符号540）を含む。さらに、上部セグメント105は、インシーム135及び少なくとも一つのアウトシーム165を有してもよい。
【００１９】
下部セグメント110は、様々な方法で上部セグメント105に接合される一対のレッグウォーマー130を含み、これらは以下により詳細に説明される。例として、図２Ａは、鉛直に配置されるギャザー210を作り出す一対のレッグウォーマー205を有する例示的なパンツ200を示す。ギャザー210は各レッグウォーマーの長さ210aに沿って延びる。これらの鉛直に配置されるギャザーは、シャーリングと呼ばれるシームプロセス又はステッチングプロセス（a  seam  or  stitching  process）によって作り出される。一般的に、パンツ200のレッグウォーマー部分140、145のインシーム（inseam）上の伸縮性素材に特定のステッチパターンが用いられるときに、シャーリングがもたらされる。シャーリングはまた、接続シームとも呼ばれる、各レッグウォーマーを上部セグメント105に取り付けるシームにおいても起こり得る。
【００２０】
図２Ｂは、各レッグウォーマーの長さ230に延びるギャザー235を作り出す一対のレッグウォーマー225を有する例示的なパンツ220を示す。このギャザーは、ルーシング（ruching）と呼ばれるシームプロセスによって作り出される。一般的に、ルーシングは、伸縮性素材が引き伸ばされて各レッグウォーマーのインシーム135に取り付けられるときに、もたらされる。伸縮性素材が解放されると、伸縮性素材はギャザー、すなわちルーシングを形成する。
【００２１】
再び図１Ａ及び図１Ｂを参照すると、いくつかの実施形態においては、一対のレッグウォーマーは、それぞれ接続シーム150、155で上部セグメント105に取り付けられる、第１のレッグウォーマー140と、第２のレッグウォーマー145とを含む。レッグウォーマーは、それぞれ、綿、綿混布、又はナイロン・スパンデックス等の第２の素材を含む。他の実施形態においては、レッグウォーマーは、上部セグメント105に用いられる素材に類似した素材から作られ得るが、レッグウォーマーに用いられる第２の素材は、上記したような編み模様（knitting  patterns）の特定のタイプにより、上部セグメント105の素材とは視覚的に明らかに異なる。
【００２２】
接続シーム150、155は、どのようなタイプの接続シームを含んでもよい。いくつかの非限定的実施例においては、接続シーム150、155は、こはぜ継ぎ（flat  lock  seams）を含む。別の実施例は、ストラドル・シーム（straddle  seams）を含む。
【００２３】
いくつかの実施形態においては、接続シーム150、155は、着用者の膝よりも上に位置付けられるように位置決めされることが好ましい。パンツ100は様々なサイズで作り出され得るし、着用者の身体のサイズも互いに異なり得るので、接続シーム150、155の正確な位置は、パンツ100のサイズによって異なってもよい。例えば、身長が６フィートより低い人用にデザインされるパンツの接続シーム150、155の正確な位置は、身長が６フィートより高い人用にデザインされるパンツの接続シーム150、155の位置とは異なるかもしれない。ＸＸスモール、Ｘスモール、スモール、ミディアム、ラージ、エクストラ・ラージ、等のエクササイズパンツによくあるサイズは、一般的に、サイズの異なる人々の区分に適合するようにそれぞれサイズ決めされることを当業者は理解するであろう。これらの大まかなサイズの違いは、着用者の膝よりも上に接続シームが位置付けられるように、接続シームの位置決めを決定又は推定するための基準値（a  baseline）として用いられ得る。
【００２４】
いくつかの実施形態においては、第１のレッグウォーマー140及び第２のレッグウォーマー145は、着用者がレッグウォーマーの端部で足の少なくとも一部分を覆うことができるように構成される長さをそれぞれ含む。図３、図１Ａ及び図１Ｂは、第２のレッグウォーマー145の終端部160が着用者の足のかかとを覆っているところを示す。終端部160が足を覆うと、終端部160は、例えば、着用者のための滑り止め面を提供する。また、図３の例示的な実施形態において示されるように、下部のレッグウォーマーは、インシームで構成される縦方向のシームを有してもよい。
【００２５】
終端部160は足のかかとを覆うように構成されると説明されたが、レッグウォーマーは、終端部が足を足のつま先までも覆うサイズであってもよい。有利には、レッグウォーマーは、着用者の足の辺りから各レッグウォーマーの終端部が着用者の足首より上に来るように引き上げられ得る。レッグウォーマーが足を覆うことができるようにするために必要とされる追加の長さは、各レッグウォーマーのリブが着用者の足首より上にあるときに、レッグウォーマーの布地のギャザー（ルーシング）を向上させる働きをするであろう。
【００２６】
接続シームの位置と同様に、いくつかの実施形態においては、各レッグウォーマーの長さは、レッグウォーマーの素材に少なくともわずかでもギャザーが寄り、レッグウォーマーの素材の集群（bunching）又はさざ波（rippling）の独特の視覚的外観が作り出されることを確実にするのに十分である。この場合もやはり、レッグウォーマーの正確な又は推定の長さは、ＸＸスモール、Ｘスモール、スモール、ミディアム、ラージ等の、対象とするサイズに基づく。
【００２７】
図４は、図１Ａ及び図１Ｂのパンツ100と同様に構成される、パンツ400の別の実施形態を示す。パンツ400は、パンツ400の内側接合シーム410の少なくとも一部分に沿って配置される一条の素材405を含む。一条の素材405は、例えば、伸縮性素材に取り付けられてレッグウォーマー415の素材のルーシングを作り出す、メッシュ素材又はその他の素材から形成され得る。すなわち、この伸縮性素材が、内側接合シーム410の周縁に沿って、レッグウォーマー素材の集群又はギャザーをもたらす。
【００２８】
図５Ａ及び図５Ｂは、併せて、パンツ500の別の例示的実施例を示す。本実施形態においては、レッグウォーマー505、510は、視覚的に魅力的な外観を作り出すように、パンツ500の上部セグメント515に角度を成して接合される。例えば、レッグウォーマー505は、上部セグメント515に角度φで接合される。いくつかの例においては、角度φは、インシーム基準線520に対して測定され得る。レッグウォーマー510は、角度φで向かい合う角度を有するであろう。
【００２９】
角度φは、いくつかの実施形態においては、レッグウォーマー505の外縁535からレッグウォーマー505の内縁545に向かって次第に小さくなる。
【００３０】
レッグウォーマー505、510は、接続シーム525、530を用いて上部セグメント515にそれぞれ接合される。いくつかの実施形態においては、接続シームは弓状である。例えば、接続シーム525、530は、弓状パターンをそれぞれ形成し、接続シームの最上部（外側端部）535から最下部（内側端部）545に向かって円弧を作り出す。
【００３１】
様々な実施形態が上記に説明されたが、これらの実施形態は、限定としてではなく、ほんの一例としてのみ示されたことが理解されるべきである。これらの説明は、本技術の範囲を本明細書に示す特定の形態に限定することを意図されない。従って、好ましい実施形態の広さ及び範囲は、上記の例示的実施形態のいずれによっても限定されるべきではない。上記の説明は例示的であり、限定的ではないことが理解されるべきである。逆に、本説明は、添付の請求の範囲によって定義されるか当業者によって理解される技術の精神および範囲に含まれ得る代替例、変形例及び均等物に及ぶことが意図される。従って、本技術の範囲は、上記の説明を参照してではなく、均等物の全範囲と共に添付の請求の範囲を参照して決定されるべきである。
【図１Ａ】
2018150670.tif 000003
【図１Ｂ】
2018150670.tif 000004
【図２Ａ】
2018150670.tif 000005
【図２Ｂ】
2018150670.tif 000006
【図３】
2018150670.tif 000007
【図４】
2018150670.tif 000008
【図５Ａ】
2018150670.tif 000009
【図５Ｂ】
2018150670.tif 000010
【外国語明細書】
2018150670000001.pdf